(57)【要約】【課題】端末装置が備えるバイブレータを使用して、簡単な構成で端末装置を一時的に振動させる機械的フィードバック動作を良好に行うようにする。【解決手段】ユーザの指又は指示体で触れられることで操作指示が行われる操作部と、回転中心からシフトした位置に重心を有する回転体を回転駆動する振動モータとを有した端末装置に適用される。その端末装置での処理としては、操作部に指又は指示体が触れられたことを検出する操作検出処理を行う。また、振動モータによる回転体の回転駆動により生じる振動の変化位相を検知する振動状態検出処理を行う。さらに、接触検出処理で接触を検出した際に、振動モータの回転を開始させ、振動状態検出処理で検出した位相が所定範囲にあるときに、振動モータの回転を停止させる制御処理を行う。【選択図】図３
2011141667.tif 000002
【特許請求の範囲】
【請求項１】
ユーザの指又は指示体で触れられることで操作指示が行われる操作部と、
前記操作部に指又は指示体が触れられたことを検出する操作検出部と、
回転中心からシフトした位置に重心を有する回転体を回転駆動する振動モータと、
前記振動モータによる前記回転体の回転駆動により生じる振動の変化位相を検知する振動状態検出部と、
前記操作検出部が接触を検出した際に、前記振動モータの回転を開始させ、前記振動状態検出部で検出した位相が所定範囲にあるときに、前記振動モータの回転を停止させる制御部とを備えた
端末装置。
【請求項２】
前記検出部は、振動の振幅についても検出し、前記制御部は、前記検出部で検出した位相が所定範囲にあり、かつ振幅が所定範囲にあるときに停止させる前記振動モータの回転を停止させる
請求項１記載の端末装置。
【請求項３】
前記検出部で検出した位相が所定範囲で、かつ振幅が所定範囲にある状態が検出されない状態が所定期間継続したとき、前記制御部は前記振動モータの回転を停止させる
請求項２記載の端末装置。
【請求項４】
前記検出部は、前記振動モータの回転による振動を音声信号として拾うマイクロフォンであり、前記音声信号から前記振動モータの回転位相成分を検出する
請求項１〜３のいずれか１項に記載の端末装置。
【請求項５】
前記マイクロフォンとして複数のマイクロフォンを備え、その複数のマイクロフォンの出力の差分から、前記振動モータの回転位相成分を検出する
請求項４記載の端末装置。
【請求項６】
前記マイクロフォンは、外部からの音を遮音する部材の内部に配置した
請求項４記載の端末装置。
【請求項７】
前記検出部は、前記振動モータの回転による振動を検出する加速度センサである
請求項１〜３のいずれか１項に記載の端末装置。
【請求項８】
ユーザの指又は指示体で触れられることで操作指示が行われる操作部と、回転中心からシフトした位置に重心を有する回転体を回転駆動する振動モータとを有した端末装置の制御方法において、
前記操作部に指又は指示体が触れられたことを検出する操作検出処理と、
前記振動モータによる前記回転体の回転駆動により生じる振動の変化位相を検知する振動状態検出処理と、
前記操作検出処理で接触を検出した際に、前記振動モータの回転を開始させ、前記振動状態検出処理で検出した位相が所定範囲にあるときに、前記振動モータの回転を停止させる制御処理とを行う
端末装置の制御方法。
【発明の詳細な説明】
【技術分野】
【０００１】
本発明は、携帯電話端末装置に適用して好適な端末装置、及びその端末装置に適用される制御方法に関し、特に着信などを通知するバイブレータを備えた端末装置に適用される技術に関する。
【背景技術】
【０００２】
従来、携帯電話端末装置においては、端末本体を振動させるバイブレータを内蔵させて、着信音を鳴らす代わりに、バイブレータによる振動で着信やメール受信などを通知する機能を備えたものが一般的である。バイブレータとしては、例えば回転軸に対して偏心した位置に取り付けられた振動子を、モータ（振動モータ）で回転させる構成のものがある。
【０００３】
携帯電話端末装置でバイブレータによる振動を行う場合には、例えば呼び出し動作中に連続的又は間欠的に作動させる。従って、例えば呼び出し動作が数十秒の比較的長時間行われた場合には、バイブレータもその時間連続的に又は間欠的に動作していることになる。
【０００４】
このような連続的な動作によるバイブレータの使い方とは別に、端末装置のタッチパネルを指などで触れて操作する際に、その操作が行われることを触れた指にフィードバックするためにバイブレータで端末装置を一時的に振動させることがある。このように操作を振動でフィードバックすることで、操作者にとっては、タッチパネルであっても通常のキーボードを操作する場合と同様な操作感が得られ、良好な操作性が得られる。
【０００５】
特許文献１には、タッチパネルを備えた端末装置で、そのタッチパネルが触れられた場合に、振動子にパルス信号を供給して、振動子を一時的に振動させてフィードバックする構成についての記載がある。
【先行技術文献】
【特許文献】
【０００６】
【特許文献１】特開２００３−３３０６１８号公報
【発明の概要】
【発明が解決しようとする課題】
【０００７】
通常、携帯電話端末装置が備えるバイブレータは、錘で構成された振動子をモータで振動させる構成であり、ある程度の時間連続して振動させるための構成であり、パルス性の一時的な振動を与えるための構成ではない。この種のバイブレータで、パルス性の一時的な振動を発生させるためには、非常に短時間一時的にモータを駆動させて振動子を短時間だけ回転させればよい。このようなパルス性の一時的な振動を発生させるモータ駆動を行うためには、例えばモータとしてステップモータのような回転位相が制御できるものを使用して、そのステップモータで振動子を限られた周期だけ回転させるようなことが考えられる。
【０００８】
しかしながら、ステップモータは非常に高価なモータであり、通常の携帯電話端末装置が備えるバイブレータ用のモータは、より安価な一般的な直流モータが使用されている。回転位相の制御ができない通常のモータで振動子を振動させた場合には、一時的な駆動を行っても、振動子の回転位相によっては目的とする振動が得られない可能性がある。従って、従来は通常のバイブレータを使って、端末装置を一時的に振動させることは制約があった。
【０００９】
本発明はかかる点に鑑みてなされたものであり、端末装置が備えるバイブレータを使用して、簡単な構成で端末装置を一時的に振動させる機械的フィードバック動作を良好に行うようにすることを目的とする。
【課題を解決するための手段】
【００１０】
本発明は、ユーザの指又は指示体で触れられることで操作指示が行われる操作部と、回転中心からシフトした位置に重心を有する回転体を回転駆動する振動モータとを有した端末装置に適用される。
そして、操作部に指又は指示体が触れられたことを検出する操作検出処理を行う。また、振動モータによる回転体の回転駆動により生じる振動の変化位相を検知する振動状態検出処理を行う。さらに、操作検出処理で接触を検出した際に、振動モータの回転を開始させ、振動状態検出処理で検出した位相が所定範囲にあるときに、振動モータの回転を停止させる制御処理を行う。
【００１１】
このようにしたことで、振動状態検出処理で振動の変化位相を検出して、所定範囲の位相を検出したときに振動モータによる駆動を停止させることで、短期間の一定状態の振動を与えることが可能となる。この場合、位相変化の検出は、例えばマイクロフォン或いは加速度センサなどの端末装置が備える部材を適用可能である。
【発明の効果】
【００１２】
本発明によると、振動モータを駆動させると同時に位相変化を検出して所定範囲の位相になったことを検出して振動モータを停止させることで、精度の高い一時的な振動の制御が可能となり、操作に対するフィードバックを振動で与えることが可能になる。この場合、位相変化の検出は、例えばマイクロフォン或いは加速度センサなどの端末装置が備える部材を適用可能であり、一般的な振動モータを使った低コスト化が可能な構成で、操作に対するフィードバックを振動で与えることが可能になる。
【図面の簡単な説明】
【００１３】
【図１】本発明の一実施の形態による端末装置の構成例を示すブロック図である。
【図２】本発明の一実施の形態による端末装置の形状の例を示す斜視図である。
【図３】本発明の一実施の形態による制御処理例を示すフローチャートである。
【図４】本発明の一実施の形態による検出信号の例を示す波形図である。
【図５】本発明の一実施の形態の変形例（専用のマイクロフォンを使用した例）を示すブロック図である。
【図６】本発明の一実施の形態の変形例（加速度センサを使用した例）を示すブロック図である。
【図７】本発明の一実施の形態の変形例（副マイクロフォンを使用した例）を示すブロック図である。
【図８】図７の例での端末装置の形状の例を示す斜視図である。
【発明を実施するための形態】
【００１４】
以下、図面を参照して本発明の一実施の形態の例を、以下の順序で説明する。
１．端末装置の構成の説明（図１，図２）
２．振動モータの制御状態の説明（図３，図４）
３．変形例１：専用のマイクロフォンを使った例（図５）
４．変形例２：加速度センサを使った例（図６）
５．変形例３：副マイクロフォンを使った例（図７，図８）
【００１５】
［１．端末装置の構成の説明］
図１及び図２は、本実施の形態の例の端末装置の構成を示した図である。
本実施の形態においては、図２に示すように、携帯電話端末装置である端末装置１０に適用した例としてある。この図２に示した端末装置１０は、各種表示を行う表示パネル上を触れることで操作が可能なタッチパネル１１と、操作キー１２などが配置してある。また、端末装置１０の内部には、振動モータ１３と、その振動モータ１３の駆動で回転する振動子１４を備える。この振動モータ１３と振動子１４とは、端末装置１０の装置本体（筐体）を振動させるバイブレータとして機能する。振動モータ１３は、ここではブラシ式直流モータとしてあり、その振動モータ１３の回転軸に、振動子１４が偏心した状態で取り付けてある。
【００１６】
振動モータ１３による駆動で振動子１４を回転させることで、例えば図２に破線Ｍ１で示す方向に力が作用して、端末装置１０が振動する。或いは、図２に破線Ｍ２で示す方向に力が作用して、端末装置１０が振動する。この振動モータ１３と振動子１４とで構成されるバイブレータは、端末装置１０が電話の着信、メールの受信などのユーザに振動で告知処理が必要な場合に、連続的又は間欠的に作動させるものである。ここで、本実施の形態においては、このバイブレータ機能を利用して、タッチパネル１１などをユーザの指などが触れたことを検出した場合に、端末装置１０を一時的に振動させるフィードバックに適用するようにしたものである。
【００１７】
次に、図１を参照して、バイブレータ機能で端末装置１０を一時的に振動させる構成について説明する。
振動モータ１３は、電源２１からスイッチ２２を介して直流電源が供給される構成としてあり、そのスイッチ２２のオン・オフに連動して、振動モータ１３の回転開始及び停止が行われる。
スイッチ２２は、バイブレータの制御部であるモータ制御回路２９により開閉が制御される。このモータ制御回路２９には、振動モータ１３による振動状態の検出信号が供給される。
【００１８】
その振動状態の検出信号を生成させる構成について説明すると、本実施の形態では、図１に示すように、通話用マイクロフォン１５をセンサとして使用する。
通話用マイクロフォン１５は、切替スイッチ２３を介してマイクインターフェイス部２４と接続してある。通話を行う際には、切替スイッチ２３の可動接点２３ｍが、マイクインターフェイス部２４側の固定接点２３ａと接続される。このように接続されることで、通話時には、ユーザが話す音声を通話用マイクロフォン１５で拾い、マイクインターフェイス部２４又はそのインターフェイス部２４に接続された回路で音声信号処理が行われる。通話用マイクロフォン１５としては、コンデンサ型やダイナミック型など一般的な構成のマイクロフォンが使用されるが、バイブレータが振動する周波数に対して、それなりの感度を有するものを使用する。また、図１ではマイクロフォン１５からの信号を増幅するアンプやバッファなどの回路については省略してある。
【００１９】
切替スイッチ２３のもう一方の固定接点２３ｂは、振動を検出する系に接続してある。即ち、切替スイッチ２３の可動接点２３ｍが固定接点２３ｂと接続されているとき、通話用マイクロフォン１５が出力して固定接点２３ｂに得られる信号を、バンドパスフィルタ２５に供給する。このバンドパスフィルタ２５では、マイクロフォン１５が拾って出力する音声信号から、振動成分が含まれる周波数帯域の信号成分を抽出する。例えば、振動モータ１３と振動子１４とで構成されるバイブレータが起動する際の振動の周波数が１５０Ｈｚ〜２２０Ｈｚ程度の範囲内の周波数である場合に、バンドパスフィルタ２５でこの１５０Ｈｚ〜２２０Ｈｚの近傍の周波数成分だけを抽出する。
【００２０】
バンドパスフィルタ２５で抽出された信号は、包絡線検出器２６と位相比較器２７とに供給する。包絡線検出器２６は、包絡線検波により供給される信号の振幅成分を検出する。位相比較器２７は、振動波形テンプレート記憶部２８から供給されるテンプレート波形と、バンドパスフィルタ２５から供給される信号の波形とを比較して、現在の位相がどの位相状態にあるかを判定する。振動波形テンプレート記憶部２８は、例えば信号の立ち上がり状態の波形、定常回転状態の波形、立ち下がり状態の波形などのパターンを記憶し、現在の位相状態がどの位相状態にあるのかを検出する。
包絡線検出器２６で検出された振幅情報と、位相比較器２７で検出された位相情報は、モータ制御回路２９に供給する。
【００２１】
また、タッチパネル１１（図１）がユーザの指などで触れられた場合や、操作キー１２が押されて操作されたことを、操作検出部としての操作検出部１６で検出する構成としてあり、この操作検出部１６で得られた操作検出情報をモータ制御回路２９に供給する。モータ制御回路２９によるスイッチ２２の制御状態については、次のフローチャートの説明で述べる。
なお、切替スイッチ２３の切替えについても、モータ制御回路２９からの指令により制御される。また、モータ制御回路２９は、着信時などの通常のバイブレータ機能を起動させる際の制御も行うが、そのための制御構成については、図１では省略してある。
【００２２】
［２．振動モータの制御状態の説明］
次に、モータ制御回路２９の制御による振動モータ１３の制御処理を、図３のフローチャートを参照して説明する。
まず、モータ制御回路２９に操作検出部１６から操作検出処理で得た操作検出情報が供給されるか否か判断し（ステップＳ１１）、タッチパネル１１が触れられたときの操作検出情報が供給されるまで待機する。タッチパネル１１が触れられたときの操作検出情報が供給された場合には、スイッチ２２をオフからオンに変化させて、振動モータ１３の回転を開始させる。また、この回転開始と同時に、切替スイッチ２３の可動接点２３ｍを一方の固定接点２３ａから他方の固定接点２３ｂに切替えさせる（ステップＳ１２）。
【００２３】
この状態でモータ制御回路２９は、包絡線検出器２６で検出した振幅信号Ｖが、予め決められた振幅の比較用の範囲内か否か判断する（ステップＳ１３）。即ち、包絡線検出器２６で検出した振幅信号をＶ０とし、振幅の比較用の下限値Ｖ１及び上限値Ｖ２を予め設定したとき、モータ制御回路２９内で、下限値Ｖ１≦振幅信号Ｖ０≦上限値Ｖ２の条件を満たすか否か判断する。この下限値Ｖ１及び上限値Ｖ２は、例えば、その範囲内の振幅値で端末装置を振動させるのに十分な値とする。上限値Ｖ２は設定しないで、下限値Ｖ１以上か否かだけを判断するようにしてもよい。
【００２４】
ステップＳ１３での比較で、一定の振幅範囲内であると判断した場合に、位相比較器２７での位相比較結果から、検出される位相θが、予め決められた位相の範囲内か否か判断する（ステップＳ１４）。即ち、マイクロフォン１５が検出した位相をθ０とし、位相比較器２７で比較される位相比較用の２つの閾値θ１及びθ２を予め設定したとき、閾値θ１≦位相信号θ０≦閾値θ２の条件を満たすか否か判断する。
【００２５】
この位相範囲内であると判断した場合には、モータ制御回路２９はスイッチ２２をオフ状態として振動モータ１３を停止させると共に、切替スイッチ２３の可動接点２３ｍを一方の固定接点２３ａに切替えさせる（ステップＳ１５）。
【００２６】
また、ステップＳ１３で、検出した振幅Ｖ０が下限値Ｖ１≦振幅信号Ｖ０≦上限値Ｖ２の条件を満たしていない場合には、ステップＳ１６に移行して、振動モータ１３をステップＳ１２で起動させてからの経過時間が、予め決めた時間を超えたか否か判断する。この判断を行う経過時間としては、例えば１００ｍ秒から数１００ｍ秒程度の時間とする。また、ステップＳ１４で、閾値θ１≦位相信号θ０≦閾値θ２の条件を満たしていない場合にも、ステップＳ１６に移行して、予め決めた時間を超えたか否か判断する。
【００２７】
そして、ステップＳ１６で駆動開始から予め決めた時間を超えたと判断した場合には、ステップＳ１５に移行して、振動モータ１３を停止させると共に、切替スイッチ２３の可動接点２３ｍを一方の固定接点２３ａに切替えさせる。また、ステップＳ１６で駆動開始から予め決めた時間を超えていないと判断した場合には、ステップＳ１３の振幅判断に戻る。
【００２８】
図４の波形図は、図３のフローチャートに示した処理で制御した場合の検出信号波形の例を示したものである。
図４の波形図の横軸は時間ｔであり、縦軸は電圧Ｖである。ここで、実線で示す電圧波形Ｖａがバンドパスフィルタ２５が出力する波形であり、破線Ｖｂで示す波形は包絡線検出器２６が出力する包絡線信号である。モータ制御回路２９が判断する振幅電圧Ｖ０は、この包絡線信号の電圧Ｖｂである。
通話用マイクロフォン１５はバイブレータの振動を音波として検出しているため、バンドパスフィルタ２５が出力する電圧Ｖａは、図４に示すように、振動子１４の回転に連動して０Ｖを中心に上下する波形であり、この波形の１周期が振動子１４の１回転になる。また、波形の１周期が振動子１４の１回転になるため、電圧Ｖａの１周期中の位置が、振動子１４の回転位相に対応する。
【００２９】
図４の例では、タイミングｔ１でモータ制御回路２９がタッチパネルの操作を検出してスイッチ２２をオンさせて、振動モータ１３の回転を開始させた状態である。この状態で回転開始から包絡線信号の電圧Ｖｂが徐々に高くなり、ある程度の時間が経過して振動モータ１３の回転速度が高くなると、振幅の比較用の下限値Ｖ１及び上限値Ｖ２の範囲内に電圧Ｖｂが収まる。
このように電圧Ｖｂがある程度高くなった状態で、さらに位相比較器２７で、検出される位相θ１が、閾値θ１≦位相信号θ０≦閾値θ２の範囲内に入ると、スイッチ２２をオフに制御し、振動モータ１３の回転を停止させる。図４の例では、タイミングｔ２で、閾値θ１≦位相信号θ０≦閾値θ２の範囲内に入ったことが検出されて、スイッチ２２がオフになったとする。このようにタイミングｔ２でオフになると、振動子１４の回転の停止に連動して電圧Ｖａが０Ｖに低下する。
【００３０】
この図４から判るように、振動モータ１３で振動子１４を回転駆動させて、ある程度回転速度が高速になった状態で、決められた位相値になると回転を停止させる制御が行われ、回転位相は１回転で１周期であるため、１回転以上は高速回転することなく停止する。従って、振動子１４の回転により生じる振動は、振動子１４の１回転程度の非常に短時間の振動であり、ユーザには、タッチパネルの操作のフィードバックを振動で感じられるようになり、タッチパネルの良好な操作感が得られる。特に本実施の形態の制御では、振幅が閾値以上となった上で、振幅位相を判断して停止させるようにしたので、振動が端末装置本体（及びその本体に触れた指など）に確実に伝わった状態になってから停止し、確実なフィードバックを与えることができる。
【００３１】
また、本実施の形態の場合には、この振動を生じさせる振動モータ１３の制御を、通話用マイクロフォン１５が拾った音声波形の振幅と位相に基づいて行うことで、簡単かつ確実に制御ができる効果を有する。即ち、通話用マイクロフォン１５が拾った音声波形は、端末装置本体の振動状態を反映した波形であり、振動センサとして良好に機能し、振幅と位相の検出で正確な回転制御が行え、１回転程度の僅かな回転だけを行うことが可能になる。
このような振幅と位相の検出を行わずに、例えば振動子１４の１回転に相当する時間だけモータを駆動させることでも、同様な制御が行えるように見える。ところが、実際には振動子１４がどのような角度位置で停止した状態から回転駆動が開始されるかによって、振動の発生状態に大きな違いがあり、本実施の形態のように振幅と位相の検出を行うことで、短時間の振動を確実な発生させることが可能になった。
【００３２】
また、構成的には、振動を検出するセンサとして、携帯電話端末である端末装置が元々備える通話用マイクロフォン１５を使用するため、別途センサを配置する必要がなく、低コストで簡単に構成できる。
【００３３】
なお、図１の構成では、振幅の値と位相値の双方で回転状態を検出して制御する構成としがた、いずれか一方の検出だけで制御することも可能である。例えば、閾値を越えた振幅の振動が一定時間継続することで、振動子の１回転に相当する振動を検出するようにしてもよい。或いは、位相の変化状態を判断して、振動子の１回転に相当する振動を検出するようにしてもよい。
【００３４】
また、振動検出センサとして通話用マイクロフォン１５を切替えて使う構成であるため、図１の構成の場合には振動検出が行えない。従って、例えば通話中で音声入力用にマイクロフォン１５を使用中には、タッチパネルが触れられる検出があっても、振動によるフィードバックを行わないようにしてもよい。後述する変形例のように通話用マイクロフォンと振動検出用センサが別部品で構成されている場合には、このような制限が必要ない。
【００３５】
［３．変形例１：専用のマイクロフォンを使った例］
次に、本発明の一実施の形態の変形例として、専用のマイクロフォンを使用した例を、図５を参照して説明する。
図５の例では、図示しない通話用マイクロフォンとは別に、振動検出専用マイクロフォン３２を設けた例としてある。この振動検出専用マイクロフォン３２は、防音ケース３１内に配置してあり、外部からの音声ノイズに影響されずに、振動成分だけを音波として検出して出力する構成としてある。防音ケース３１は、端末装置本体内に内蔵させる。なお、振動検出専用マイクロフォン３２は、通話用のマイクロフォンと同一構成でもよいが、例えばバイブレータが振動する周波数帯域に対して良好な感度を有するマイクロフォンとして構成してもよい。
【００３６】
そして、振動検出専用マイクロフォン３２の出力を、バンドパスフィルタ２５に供給する。バンドパスフィルタ２５の出力は、包絡線検出器２６及び位相比較器２７に供給する。以降は図１の構成と同様にモータ制御回路２９が、スイッチ２２のオン・オフを制御して、振動モータ１３の回転を制御する。その他の部分は、図１及び図２の構成と同様に構成する。モータ制御回路２９による制御状態についても図３のフローチャートと同様である。但し図５の例の場合には、マイクロフォンを切替えるスイッチ（図１での切替スイッチ２３）が不要であり、そのスイッチの切替え制御が不要である。
【００３７】
この図５の構成の場合には、振動検出専用マイクロフォン３２を設けたので、通話中であってもバイブレータの振動検出が可能であり、常時、タッチパネル操作の振動によるフィードバックを行うことができる。また、振動検出専用マイクロフォン３２は、防音ケース３１に納めたため、検出信号に外部ノイズが混入する可能性が低く、良好な振動検出による良好な制御が可能になる。
【００３８】
［４．変形例２：加速度センサを使った例］
次に、本発明の一実施の形態の別の変形例として、加速度センサをセンサとして使用した例を、図６を参照して説明する。
図５の例では、図示しない通話用マイクロフォンとは別に、加速度センサ３３を設けた例としてある。この加速度センサ３３は、端末装置本体に加わる力を検出するセンサであり、例えば端末装置をユーザが振らした場合の動きや向きなどを検出するためのセンサである。或いは、バイブレータの振動検出専用の加速度センサとしてもよい。この加速度センサ３３の出力を、バンドパスフィルタ２５を介して包絡線検出器２６及び位相比較器２７に供給する。
【００３９】
そして、振動検出専用マイクロフォン３２の出力を、バンドパスフィルタ２５に供給する。バンドパスフィルタ２５の出力は、包絡線検出器２６及び位相比較器２７に供給する。以降は図１の構成と同様にモータ制御回路２９が、スイッチ２２のオン・オフを制御して、振動モータ１３の回転を制御する。その他の部分は、図１及び図２の構成と同様に構成する。モータ制御回路２９による制御状態についても図３のフローチャートと同様である。但し図６の例の場合にも、センサ出力を切替えるスイッチ（図１での切替スイッチ２３に相当）が不要であり、そのスイッチの切替え制御が不要である。
【００４０】
この図６の構成の場合にも、加速度センサ３３を使ってバイブレータの振動検出が可能であり、タッチパネル操作の振動によるフィードバックを行うことができる。加速度センサ３３そのものを元々有する端末装置の場合には、本例の処理を行うために新たなセンサが必要なく、端末装置の製造コストを上昇させることなく、簡単に振動検出が可能になる。
【００４１】
［５．変形例３：副マイクロフォンを使った例］
次に、本発明の一実施の形態のさらに別の変形例として、通話用マイクロフォンが複数容易された端末装置の場合の構成を、図６及び図７を参照して説明する。
携帯電話端末装置の場合、通話用マイクロフォンとして、直接ユーザの会話音声を拾う主マイクロフォンの他に、周囲の雑音を拾う副マイクロフォンを設けて、主マイクロフォンの出力から、副マイクロフォンの出力を減算する構成のものがある。このようにすることで、得られた音声信号は、周囲の雑音が除去されたＳＮ比が向上した信号となり、ユーザが話す音声だけを拾うことができる。
【００４２】
即ち、図６に端末装置１０′の構成を示したように、通話用主マイクロフォン４１の他に、そのマイクロフォン４１とは離れた位置（この例では背面側の上部）に、通話用副マイクロフォン４２を配置する。
そして図７に示すように、通話用主マイクロフォン４１の出力を、切替スイッチ２３の可動接点２３ｍ及び固定接点２３ａを介してマイクインターフェイス部４５に供給する。また、通話用副マイクロフォン４２の出力を、切替スイッチ４３の可動接点４３ｍ及び固定接点４３ａを介してマイクインターフェイス部４５に供給する。そして、マイクインターフェイス部４５内で、通話用主マイクロフォン４１からの音声信号から、通話用副マイクロフォン４２からの音声信号を減算してノイズ除去処理を行う。
【００４３】
また、通話用主マイクロフォン４１の出力を、切替スイッチ２３の可動接点２３ｍ及び固定接点２３ｂを介して加算器４４に供給する。また、通話用副マイクロフォン４２の出力を、切替スイッチ４３の可動接点４３ｍ及び固定接点４３ａを介して加算器４４に供給する。そして、加算器４４で、主マイクロフォン４１の出力から、副マイクロフォン４２の出力を減算し、その減算信号を、バンドパスフィルタ２５に供給する。バンドパスフィルタ２５の出力は、包絡線検出器２６及び位相比較器２７に供給する。以降は図１の構成と同様にモータ制御回路２９が、スイッチ２２のオン・オフを制御して、振動モータ１３の回転を制御する。その他の部分は、図１及び図２の構成と同様に構成する。モータ制御回路２９による制御状態についても図３のフローチャートと同様である。但し図７の例の場合には、マイクロフォンを切替えるスイッチが２つの切替スイッチ２３，４３で構成され、その２つのスイッチを連動して制御する必要がある。
【００４４】
この図７の構成の場合には、バンドパスフィルタ２５に供給される信号が、ノイズ成分が除去されたＳＮ比が向上した信号となっているので、より良好に振動状態を検出できるようになる。即ち、周囲の雑音の影響による誤動作の可能性が低く、良好に安定してフィードバック制御が行える。
この点についてより詳しく説明すると、バイブレータの振動周波数として例えば１５０Ｈｚ〜２２０Ｈｚの帯域であるとすると、その振動による音波の波長は２．３ｍ〜１．５ｍ程度となる。このため、筐体の１辺の長さが１０ｃｍ前後の携帯電話端末の場合、どの箇所にマイクロフォンを配置しても、検出される音圧は一定になる。また、図８に示したように、副マイクロフォン４２は主マイクロフォン４１とは離れた位置に配置されることが多い。そして、バイブレータの振動は、筐体の重心を中心として発生するため、２つのマイクロフォンが配置された箇所では、逆位相で振動する可能性がある。このような場合、減算器４４での減算で、雑音をキャンセルできるだけでなく、振動による信号成分を増幅するように作用し、結果的に良好に振動を検出できるようになる。
しかも、ノイズ除去のための構成は、通話音声からノイズを除去するための２つのマイクロフォンによる構成をそのまま利用しているため、ノイズ除去のための構成を新たに設ける必要がなく、簡単な構成で実現できる効果を有する。
【００４５】
なお、ここまで説明した各実施の形態の例では、端末装置として、携帯電話端末に適用した例としたが、その他の各種用途用の端末装置に本発明は適用可能である。即ち、何らかの操作に基づいて、その操作をバイブレータの振動でフィードバックする場合に、適用可能である。
検出する操作についても、上述した実施の形態では、端末装置に配置したタッチパネルが触れられたことを検出した場合に振動させるようにしたが、タッチパネル以外のその他の操作部の操作に基づいて、同様の振動によるフィードバックを行うようにしてもよい。さらに、図３のフローチャートに示した制御処理の順序についても、好適な一例を示したものであり、同様の制御が可能であれば、図３とは異なる順序で同様の制御を実現してもよい。図４に示した波形についても一例であり、この波形以外の態様で信号検出が行われる場合にも本発明は適用可能である。
【符号の説明】
【００４６】
１０、１０′…端末装置、１１…タッチパネル、１２…操作キー、１３…振動モータ、１４…振動子、１５…通話用マイクロフォン、１６…操作検出部、２１…電源、２２…スイッチ、２３…切替スイッチ、２４…マイクインターフェイス部、２５…バンドパスフィルタ、２６…包絡線検出器、２７…位相比較器、２８…振動波形テンプレート記憶部、２９…モータ制御回路、３１…防音ケース、３２…振動検出専用マイクロフォン、３３…加速度センサ、４１…通話用主マイクロフォン、４２…通話用副マイクロフォン、４３…切替スイッチ、４４…加算器、４５…マイクインターフェイス部
【図１】
2011141667.tif 000003
【図２】
2011141667.tif 000004
【図３】
2011141667.tif 000005
【図４】
2011141667.tif 000006
【図５】
2011141667.tif 000007
【図６】
2011141667.tif 000008
【図７】
2011141667.tif 000009
【図８】
2011141667.tif 000010